(57)【要約】【課題】  主表示部が露出するように折畳み可能な電子機器ではキー操作部が内側になるため、簡易な操作キーを表示部下方や、筐体の一側面に設けている。しかし、表示部下方に複数の操作キーを設けるものでは特に片手での操作性が悪く、また表示領域の拡大が進まない問題がある。また、筐体の一側面に集中して設ける構造では、表示部に表示する操作ガイドとの連携がわかりづらく、操作性が向上しない問題があった。【解決手段】  第１筐体または第２筐体のヒンジ部近傍の両側面に、操作ガイドに対応する操作ガイドキーを設け、操作ガイドもヒンジ部近傍に表示させる。これにより操作ガイドを直接操作する感覚で操作ガイドキーを使うことができる。また筐体の開閉、回転状態に応じて自動的に操作ガイドに近接する操作ガイドキーを対応させることができるので、操作性が向上する。【選択図】    図１
2005229438.tif 000002
【特許請求の範囲】
【請求項１】
第１筐体と、
前記第１筐体に対して回転および／または折り畳みが可能な第２筐体と、
前記第１または第２筐体の少なくともいずれか一方の表面に設けられた表示部と、
操作ガイドデータが保持される記憶部と、
前記表示部を中心としてその両側となる前記第１筐体の両側面または前記第２筐体の両側面またはその近傍に設けられた複数の操作ガイドキーと、
前記表示部への表示を制御する表示制御手段とを具備し、
前記表示制御手段は、前記複数の操作ガイドキーに前記操作ガイドデータを対応付け、該操作ガイドデータに基づく画像および／または文字を操作ガイドとして前記表示部に表示することを特徴とする電子機器。
【請求項２】
第１筐体と、
表面に表示部が設けられ、前記第１筐体に対して前記表示部が外側に露出する状態で折畳み可能に支持される第２筐体と、
操作ガイドデータが保持される記憶部と、
前記表示部を中心としてその両側となる前記第１筐体の両側面または前記第２筐体の両側面またはその近傍に設けられた複数の操作ガイドキーと、
前記表示部への表示を制御する表示制御手段とを具備し、
前記表示制御手段は、前記複数の操作ガイドキーに前記操作ガイドデータを対応付け、該操作ガイドデータに基づく画像および／または文字を操作ガイドとして前記表示部に表示することを特徴とする電子機器。
【請求項３】
前記表示制御手段は、第１および第２筐体を開いた状態で前記操作ガイドを前記操作ガイドキー近傍に正像で表示し、前記表示部が外側に露出するように折畳んだ状態で前記操作ガイドを前記操作ガイドキー近傍に逆像で表示することを特徴とする請求項２に記載の電子機器。
【請求項４】
第１筐体と、
ヒンジ部と、
表面に表示部が設けられ、前記ヒンジ部により前記第１筐体に対して前記表示部が外側に露出する状態で折り畳み可能に支持される第２筐体と、
前記１筐体表面に設けられたキー操作部と、
操作ガイドデータが保持される記憶部と、
前記表示部を中心としてその両側となる前記第１筐体または第２筐体の両側面またはその近傍に設けられた複数の第１操作ガイドキーと、
前記第１筐体と前記第２筐体の開閉状態を検知する状態検知手段と、
前記表示部への表示を制御する表示制御手段とを具備し、
前記表示制御手段は、前記状態検知手段で検知した前記第１および第２筐体の状態に応じて前記複数の第１操作ガイドキーに前記操作ガイドデータを対応付け、該操作ガイドデータに基づく画像および／または文字を操作ガイドとして前記表示部に表示することを特徴とする電子機器。
【請求項５】
前記第１筐体に対して前記第２筐体は回転および折畳み可能に支持されることを特徴とする請求項４に記載の電子機器。
【請求項６】
前記状態検知手段で前記表示部が外側に露出するように折畳んだ状態を検知した場合に、前記表示制御手段は前記操作ガイドを前記ヒンジ部近傍の前記表示部に逆像で表示することを特徴とする請求項４に記載の電子機器。
【請求項７】
前記状態検知手段で前記第１筐体および第２筐体を開いて前記第２筐体を回転した状態を検知した場合に、前記表示制御手段は、前記第１操作ガイドキーと前記操作ガイドデータとの対応付けを切換えることを特徴とする請求項４に記載の電子機器。
【請求項８】
前記第１操作ガイドキーに対応する前記操作ガイドデータに基づく画像および／または文字の表示を変更することを特徴とする請求項７に記載の電子機器。
【請求項９】
前記第１操作ガイドキーに対応する前記操作ガイドデータに割り当てる処理を切換えることを特徴とする請求項７に記載の電子機器。
【請求項１０】
前記キー操作部に第２操作ガイドキーを設け、
前記表示制御手段は、前記状態検知手段で前記第１および第２筐体を開いた状態を検知した場合に、前記第１および／または第２操作ガイドキーに前記操作ガイドデータを対応付け、当該第１および／または第２操作ガイドキーに基づく操作ガイドを前記表示部に表示することを特徴とする請求項４に記載の電子機器。
【請求項１１】
前記第１操作ガイドキーと前記操作ガイドデータとの対応付けを解除できることを特徴とする請求項１０に記載の電子機器。
【発明の詳細な説明】
【技術分野】
【０００１】
この発明は、一般的には、電子機器に関し、より特定的には、２つの筐体が回動可能に取り付けられて構成される電子機器に関する。
【背景技術】
【０００２】
従来、携帯電話機に代表されるような上部筐体と下部筐体を折畳み可能にした電子機器が広く普及している。
【０００３】
図１１には、下部筐体をカバーとして折り畳み可能な携帯電話機１００の正面図（図１（Ａ））、側面図（図１１（Ｂ））を示す。上部筐体１１０には表示部１１４、キー操作部（不図示）が設けられ、下部筐体１１６がキー操作部のカバーとなっている。そして、折畳んだ状態でキー操作部が内側になることから、上部筐体１１０の一側面に、選択キーまたは決定キーなどの簡易な操作キー１３０が設けられているものが知られている（例えば特許文献１参照。）。
【０００４】
さらには、図１２のごとく、電子機器の多機能化から筐体を回転および折畳み可能とし、閉じた状態で、主表示部を視認できるものが知られている。
【０００５】
図１２（Ａ）（Ｂ）は携帯電話機２００の上下筐体を開いた状態の外観図を示し、図１２（Ｃ）は上下筐体を閉じた状態の外観図を示す。
【０００６】
一般的に、図の如く上部筐体１０５に主表示部１０６が設けられ、下部筐体１０１には、キー操作部１０２などが設けられている。そして、例えば上部筐体１０５と下部筐体１０１は第１の回転軸ｃ１により開閉自在となっており、上部筐体１０５は、第２の回転軸ｃ２の周りに回転自在となっている。すなわち、上部筐体１０５を第１の回転軸ｃ１により開いて、第２の回転軸ｃ２により１８０度回転し、再び第１の回転軸ｃ１により閉じることにより、図１２（Ｃ）の如く主表示部１０６を外側に露出した状態で折畳むことができる。そして、主表示部１０６の下方に簡易操作キー１１が設けられている（例えば特許文献２参照。）。
【特許文献１】特開２０００−２２７８８号公報
【特許文献２】特開２００１−２５１４０６号公報
【発明の開示】
【発明が解決しようとする課題】
【０００７】
図１１のごとく、折畳み可能な携帯電話機において、表面に表示部１１４が設けられた筐体の一側面に簡易な操作キー１３０を設けるものもあるが、一方の側面に操作キー１３０が集中しているため表示部１１４で表示される情報との連携がつかみにくく、操作性が劣る問題があった。
【０００８】
また、図１２のごとく、上部筐体１０５を下部筐体１０１に対して回転および折畳み自在にした携帯電話機２００においては、主表示部１０６を露出して折り畳んだ状態で各種機能が実行できるようになっている。そして、その場合キー操作部１０２が内側になることから、主要な機能のみを割り当てた簡易操作キー１１が、筐体に付加されている場合がある。しかし、図１２のごとく主表示部１０６下方にこれらのキーを設けるものでは、片手での操作性があまりよくなく、なにより主表示部１０６の表示面積が小さくなってしまう問題があった。
【課題を解決するための手段】
【０００９】
本発明は上述した諸々の事情に鑑み成されたものであり、第１に、第１筐体と、前記第１筐体に対して回転および／または折り畳みが可能な第２筐体と、前記第１または第２筐体の少なくともいずれか一方の表面に設けられた表示部と、操作ガイドデータが保持される記憶部と、前記表示部を中心としてその両側となる前記第１筐体の両側面または前記第２筐体の両側面またはその近傍に設けられた複数の操作ガイドキーと、前記表示部への表示を制御する表示制御手段とを具備し、前記表示制御手段は、前記複数の操作ガイドキーに前記操作ガイドデータを対応付け、該操作ガイドデータに基づく画像および／または文字を操作ガイドとして前記表示部に表示することにより解決するものである。
【００１０】
第２に、第１筐体と、表面に表示部が設けられ、前記第１筐体に対して前記表示部が外側に露出する状態で折畳み可能に支持される第２筐体と、操作ガイドデータが保持される記憶部と、前記表示部を中心としてその両側となる前記第１筐体の両側面または前記第２筐体の両側面またはその近傍に設けられた複数の操作ガイドキーと、前記表示部への表示を制御する表示制御手段とを具備し、前記表示制御手段は、前記複数の操作ガイドキーに前記操作ガイドデータを対応付け、該操作ガイドデータに基づく画像および／または文字を操作ガイドとして前記表示部に表示することにより解決するものである。
【００１１】
また、前記表示制御手段は、第１および第２筐体を開いた状態で前記操作ガイドを前記操作ガイドキー近傍に正像で表示し、前記表示部が外側に露出するように折畳んだ状態で前記操作ガイドを前記操作ガイドキー近傍に逆像で表示することを特徴とするものである。
【００１２】
第３に、第１筐体と、ヒンジ部と、表面に表示部が設けられ、前記ヒンジ部により前記第１筐体に対して前記表示部が外側に露出する状態で折り畳み可能に支持される第２筐体と、前記１筐体表面に設けられたキー操作部と、操作ガイドデータが保持される記憶部と、前記表示部を中心としてその両側となる前記第１筐体または第２筐体の両側面またはその近傍に設けられた複数の第１操作ガイドキーと、前記第１筐体と前記第２筐体の開閉状態を検知する状態検知手段と、前記表示部への表示を制御する表示制御手段とを具備し、前記表示制御手段は、前記状態検知手段で検知した前記第１および第２筐体の状態に応じて前記複数の第１操作ガイドキーに前記操作ガイドデータを対応付け、該操作ガイドデータに基づく画像および／または文字を操作ガイドとして前記表示部に表示することにより解決するものである。
【００１３】
また、前記第１筐体に対して前記第２筐体は回転および折畳み可能に支持されることを特徴とするものである。
【００１４】
また、前記状態検知手段で前記表示部が外側に露出するように折畳んだ状態を検知した場合に、前記表示制御手段は前記操作ガイドを前記ヒンジ部近傍の前記表示部に逆像で表示することを特徴とするものである。
【００１５】
また、前記状態検知手段で前記第１筐体および第２筐体を開いて前記第２筐体を回転した状態を検知した場合に、前記表示制御手段は、前記第１操作ガイドキーと前記操作ガイドデータとの対応付けを切換えることを特徴とするものである。
【００１６】
また、前記第１操作ガイドキーに対応する前記操作ガイドデータに基づく画像および／または文字の表示を変更することを特徴とするものである。
【００１７】
また、前記第１操作ガイドキーに対応する前記操作ガイドデータに割り当てる処理を切換えることを特徴とするものである。
【００１８】
また、前記キー操作部に第２操作ガイドキーを設け、前記表示制御手段は、前記状態検知手段で前記第１および第２筐体を開いた状態を検知した場合に、前記第１および／または第２操作ガイドキーに前記操作ガイドデータを対応付け、当該第１および／または第２操作ガイドキーに基づく操作ガイドを前記表示部に表示することを特徴とするものである。
【００１９】
また、前記第１操作ガイドキーと前記操作ガイドデータとの対応付けを解除できることを特徴とするものである。
【発明の効果】
【００２０】
本発明によれば以下の効果が得られる。
【００２１】
第１に、表示部に操作ガイドを表示し、第１筐体または第２筐体の左右側面またはその近傍にそれぞれ操作ガイドキー（第１操作ガイドキー）を配置し、操作ガイドと操作ガイドキー（第１操作ガイドキー）を対応させる。例えば操作ガイドの左側の表示と筐体の左側面の操作ガイドキー（第１操作ガイドキー）を近接させ、操作ガイドの右側の表示と筐体の右側面の操作ガイドキー（第１操作ガイドキー）を近接させてそれぞれ対応させることにより、ユーザは操作ガイド近傍の操作ガイドキー（第１操作ガイドキー）を押下して処理を実行できる。これにより、操作ガイドと操作ガイドキー（第１操作ガイドキー）との対応関係を認識しやすくなり、また、片手で操作する場合等の操作性が向上する。
【００２２】
第２に、表示部が露出するように折畳み可能な電子機器において状態検知手段により第１筐体と第２筐体の状態を検知し、上下左右の関係が変化する筐体の状態に応じて自動的に操作ガイドと第１操作ガイドキーを対応させることができる。
【００２３】
第３に、第１筐体と第２筐体の状態に応じて、操作ガイドの表示を切換えるので、常に操作ガイドキー（第１操作ガイドキー）と操作ガイドが近接し、両者の対応関係を視覚的に認識しやすくできる。
【００２４】
すなわち、第１及び第２筐体を開いた状態では、表示部に表示される操作ガイドを正像とし、さらに操作ガイドキー（第１操作ガイドキー）の近傍となる表示部下方に移動させることにより、操作ガイドキー（第１操作ガイドキー）と操作ガイドとを近接させることができる。
【００２５】
また、表示部が外側に露出するように折畳んだ場合に、表示部に表示される操作ガイドを逆像とし、さらに操作ガイドキー（第１操作ガイドキー）の近傍となる表示部下方に移動させることにより、操作ガイドキー（第１操作ガイドキー）と操作ガイドとを近接させることができる。
【００２６】
さらに、第１及び第２筐体を開いて回転した状態では、左右の第１操作ガイドキーと表示部の左右とは鏡面の状態となるが、この場合自動的に操作ガイドと左右の第１操作ガイドキーとの対応を切換えることにより、ユーザは常に表示部の操作ガイド近傍の第１操作ガイドキーを操作することにより対応する処理を実行できる。
【００２７】
第３に、第１および第２筐体を開いた状態では、第２操作ガイドキーを操作ガイドに割り当てることにより、第１操作ガイドキーは、他の処理のキーに割り当てることができ、キーを有効に活用できる。
【００２８】
第４に、第１および第２筐体を開いた状態で、第１操作ガイドキーおよび第２操作ガイドキーを操作ガイドに割り当てることにより、ユーザはいずれの操作ガイドキーも使えるので、操作性が向上する。
【００２９】
第５に、第１および第２筐体を開いた状態で、第１操作ガイドキーおよび第２操作ガイドキーを操作ガイドに割り当て、ユーザの操作により第１操作ガイドキーと操作ガイドの対応を解除できるので、ユーザの利用形態に応じて操作ガイドキーを使い分けることができる。更に対応を解除し、別の処理と対応づけることにより、少ないキーの有効活用が図れる。
【発明を実施するための最良の形態】
【００３０】
この発明の実施の形態について携帯電話機を例に、図面を参照して説明する。
【００３１】
本発明の電子機器は、例えばクラムシェルタイプの携帯電話機であり、第１筐体と、第２筐体と、主表示部と、表示制御手段と、状態検知手段と、第１操作ガイドキーと、第２操作ガイドキーとから構成され、備える一方の筐体を表裏反転させることができる。
【００３２】
まず図１から図６を参照して本携帯電話機の、回転および折畳み機構について説明する。
【００３３】
図１は、この発明の第１の実施の形態における携帯電話機の開いた状態を示す斜視図である。図２は、図１中の携帯電話機の閉じた状態を示す斜視図である。図３は、図２中の矢印ＩＩＩから見た携帯電話機を示す斜視図である。
【００３４】
携帯電話機１は、第１筐体２と、第１筐体２に対して回動軸５を中心に回動自在に連結された第２筐体８と備える。第２筐体８を第１筐体２に対して角変位自在に動かすことによって、携帯電話機１の形状は、図１に示す開いた状態と図２および図３に示す閉じた状態との間で変化する。
【００３５】
図１および図２を参照して、第１筐体２は、略矩形形状の表面３ａを有するベース部３と、表面３ａの所定位置から突出して形成された突出部４とからなる形状を有する。表面３ａは、携帯電話機１を開いた状態で外側に面し、閉じた状態で内側に面する表面である。
【００３６】
表面３ａには、キー操作部１８が設けられる。キー操作部１８は、数字および文字を入力するためのキーなどから構成される入力キー群１８ｂと、携帯電話機１における各種設定／機能切換を行うための機能キー群１８ａとからなる。また表面３ａには、キー操作部１８の近傍に通話用のマイク２０が設けられている。
【００３７】
第２筐体８は、突出部４に隣合って位置する。また第２筐体８は、突出部４に回動自在に設けられたヒンジ部７により第１筐体２と接続する。更に第２筐体８は、ヒンジ部７に対して回転軸９を中心に回転自在に設けられ、回転軸９は、突出部４の中心で回動軸５に直交している。すなわち、第２筐体８は、第１筐体２に対して回転および折畳み可能に支持されている。
【００３８】
第２筐体８は、図１の状態ではヒンジ部７の表面７ａと隣接する略矩形形状の表面８ａを有する。表面８ａには主表示部１３が設けられている。主表示部１３は、液晶ディスプレイやＥＬ(ｅｌｅｃｔｒｏ  ｌｕｍｉｎｅｓｃｅｎｔ)ディスプレイなどによって構成されており、表示ドライバを介して与えられるデータに基づいて画像および／または文字を表示する。主表示部１３は、各種アプリケーションを実行する際の主表示部となり、携帯電話機の多機能化に伴って表示領域の拡大が進んでいる。
【００３９】
また、主表示部１３は、液晶ディスプレイによって構成されている場合に、発光素子である発光ダイオードなどから構成されるバックライトにより背面から照明される。表面８ａには、主表示部１３の近傍に位置して、通話時などに使用するスピーカ１７が設けられている。
【００４０】
図１の状態において主表示部１３を中心としてその両側となる第１筐体２の側面２ｃのヒンジ部７近傍には、主表示部１３に表示される操作ガイドに対応する、第１操作ガイドキー５０が設けられる。すなわち、図１において、キー操作部１８と主表示部１３を正常視認可能に携帯電話機１を支持した場合、第１操作ガイドキー５０は第１筐体２の左右の側面２ｃにそれぞれ配置される。以下、この状態で左側面に配置される第１操作ガイドキー５０を左ガイドキー５０Ｌと称し、右側面に配置される第１操作ガイドキー５０を右ガイドキー５０Ｒと称する。また、キー操作部１８の機能キー群１８ａには、第２操作ガイドキー４０が配置される。
【００４１】
また、本明細書では説明の便宜上、図１のＷを主表示部１３（第２筐体８）上方、Ｘを主表示部１３（第２筐体８）下方、Ｙをキー操作部１８（第１筐体２）上方、Ｚをキー操作部１８（第１筐体２）下方として説明する。
【００４２】
図２のごとく、第２筐体８は表面８ａに対向する表面８ｂを有する。この状態においてヒンジ部７の表面７ａに対向する表面７ｂは表面８ｂと同一平面に並び、また後述するが、第２筐体８の回転により、表面７ｂは表面８ａと同一平面に並ぶ。
【００４３】
図３を参照して、第１筐体２の内部には図示しないカメラ部が収納され、表面３ａの反対側に位置するベース部３の表面３ｂには、突出部４の裏側に位置して撮影レンズ１０およびフラッシュ１５が並んで設けられている。フラッシュ１５は、後に説明するカメラ部で撮影する際の補助光源として使われる。
【００４４】
表面３ｂには、撮影レンズ１０の近傍に位置して、副表示部１４およびスピーカ２２が並んで設けられている。副表示部１４も、液晶ディスプレイやＥＬ(ｅｌｅｃｔｒｏ  ｌｕｍｉｎｅｓｃｅｎｔ)ディスプレイなどによって構成されており、表示ドライバを介して与えられるデータに基づいて画像および／または文字を表示する。また、副表示部１４は、液晶ディスプレイによって構成されている場合に、発光素子である発光ダイオードなどから構成されるバックライトにより背面から照明される。尚、副表示部１４はこの位置に限らず、例えばヒンジ部７の表面７ａに対向する表面７ｂや、突出部４に設けてもよいし、副表示部１４を設けなくてもよい。
【００４５】
第１筐体２の内部には、アンテナ１２が昇降自在に設けられている。図中には、降りた状態のアンテナ１２が示されている。
【００４６】
図４から図６は、図１中の主表示部１３が設けられた第２筐体８を回転させた場合の携帯電話機を示す斜視図である。図４を参照して、携帯電話機１を開いた状態とし、第２筐体８を回転軸９を中心に図１に示す状態から９０度だけ回転させる。これにより、第２筐体８は、主表示部１３が設けられた表面８ａと、キー操作部１８が設けられた第１筐体２の表面３ａとが直交するように位置決めされる。
【００４７】
図５を参照して、第２筐体８を回転軸９を中心に図４に示す状態からさらに９０度だけ回転させる。これにより、第２筐体８は、表面８ａと第１筐体２の表面３ｂとが同一方向を向き、第２筐体８の表面８ｂと第１筐体２の表面３ａとが同一方向を向くように位置決めされる。なお、図１、図４および図５に示す状態のみならず、第２筐体８を回転軸９を中心に適当な角度だけ回転させることによって、表面８ａに設けられた主表示部１３を所望の方向に向けることができる。
【００４８】
この状態で、表面８ａの主表示部１３と、ヒンジ部７の表面７ｂが同一平面状に並列配置される。このように携帯電話機１では、第２筐体８が回転自在に設けられている。このため、カメラ部を用いて被写体を撮影する場合に、ユーザは、その撮影の条件にあわせて主表示部１３の向きを選択することができる。
【００４９】
図６を参照して、第２筐体８を図５に示す状態に回転させた後、第２筐体８を回動軸５を中心に回動させる。これにより、携帯電話機１は、表面８ａが外側を向いて主表示部１３が露出し、主表示部１３とヒンジ部７の表面７ｂが同一平面上に並列配置され、表面８ｂが内側を向くように閉じられる。
【００５０】
再び図１を参照して、本発明の携帯電話機は、第１筐体２および第２筐体８とヒンジ部７に状態検知手段３０を有する。状態検知手段３０は、第１筐体２、６の開閉および回転状態の切換えを検知する。本実施形態の状態検知手段３０は、例えば第１ホール素子３０ａ、第２ホール素子３０ｂ、第３ホール素子３０ｃと、第１マグネット３０ｄ、第２マグネット３０ｅとからなる。
【００５１】
第１ホール素子３０ａ、第２ホール素子３０ｂは第１筐体２に設けられる。その位置は、例えば突出部４の逆側となるキー操作部１８の下方（Ｚ）である。また第３ホール素子３０ｃは第２筐体８と接するヒンジ部７の端部に設けられる。
【００５２】
第１マグネット３０ｄおよび第２マグネット３０ｅは第２筐体８に設けられ、例えば第１マグネット３０ｄはヒンジ部７の逆側となるスピーカ１７付近に、そして第２マグネット３０ｅは第３ホール素子３０ｃに近接する第２筐体８のヒンジ部７側端部に設けられる。第１マグネット３０ｄは、閉じた状態で第１ホール素子３０ａまたは第２ホール素子３０ｂと近接する位置に配置し、第２マグネット３０ｅは図１のごとく開いた状態で第３ホール素子３０ｃと近接する位置に配置する。
【００５３】
そして、第１および第２ホール素子３０ａ、３０ｂは第１マグネット３０ｄの磁力でオンオフが切り換り、第３ホール素子３０ｃは第２マグネット３０ｅの磁力によりオンオフが切り換わる。尚、各ホール素子はマグネットの磁力が感知できればよいので、状態検知手段３０は第１筐体２、第２筐体８表面に露出する必要はなく、第１筐体２、第２筐体８内に設けられてもよい。
【００５４】
尚、本実施形態では状態検出手段３０としてマグネットとホール素子を例に説明したがこれに限らず、磁界の強弱を電気抵抗の変化として取り出す他の磁電変換素子や、開閉時の応力を電気抵抗変化に変換する半導体素子からなる感圧素子または他のスイッチであってもよい。
【００５５】
ホール素子と開閉状態の関係の一例を説明すると、第１ホール素子３０ａは第１マグネット３０ｄの磁力を感知してオン状態となる。すなわち第１ホール素子３０ａがオンの場合は、主表示部１３が内側になるように閉じた状態であり、これを第１状態と称する（図２参照）。
【００５６】
第１ホール素子３０ａ、第２ホール素子３０ｂが第１マグネット３０ｄと近接せずにオフ状態であり、第３ホール素子３０ｃが第２マグネット３０ｅの磁力を感知してオン状態の場合、キー操作部１８と主表示部１３を同一面側から視認可能に開いた状態であり、これを第２状態と称する（図１参照）。
【００５７】
また、この状態の（すなわちキー操作部１８とともに正常視認が可能な状態の）、第２筐体８に対する主表示部１３の表示向きを正像と称する。つまり主表示部１３上方（Ｗ）が「天」、主表示部１３下方（Ｘ）が「地」となる表示向きを正像とする。
【００５８】
第１ホール素子３０ａ、第２ホール素子３０ｂ、第３ホール素子３０ｃがすべてオフの場合、第１筐体２および第２筐体８を開いて且つ第２筐体８を回転した状態であり、これを第３状態と称する。そしてこの場合、主表示部１３は図１に示す第２状態から１８０度回転し、左右が入れ替わっている（図５参照）。
【００５９】
そして、第２ホール素子３０ｂのみオンの場合は、第２筐体８を回転して第２筐体８を閉じた状態であり、これを第４状態という（図６参照）。尚、この状態では主表示部１３（および副表示部１４）が外側に露出した状態で折畳まれ、閉じた状態であっても視認可能である。そして通常第３状態から第４状態にした場合には、ヒンジ部７が上方、スピーカ１７が下方になるようにユーザに保持される。そこで、第４状態では、主表示部１３は、表示部下方（Ｘ）が「天」で表示部上方（Ｗ）が「地」となる表示向きで表示する。
【００６０】
このようにヒンジ部７を中心として第２状態と上下が逆転している主表示部１３に対して、表示向きも逆転させることにより、第４状態でもユーザは携帯電話機を持ち換えることなく正常視認することができる。この表示向きを正像に対して逆像と称する。
【００６１】
図７は、携帯電話機１の構成の概略を示すブロック図である。本実施の形態の携帯電話機器１は、主に、制御部２１、メモリ２３、表示ドライバ２４、主表示部１３、副表示部１４、無線部２５、通信制御部２６、カメラ部２７、キー操作部１８（第２操作ガイドキー４０）、第１操作ガイドキー５０、アンテナ１２、状態検知手段３０、表示制御手段３５を備えている。
【００６２】
制御部２１は、携帯電話機１を構成する各部位の動作を制御し、例えば、カメラ部２７、メモリ２３、表示ドライバ２４、主表示部１３及び副表示部１４、通信制御部２６等を制御する。制御部２１は、例えばユーザから画像データ表示の指示があると、表示ドライバ２４に制御信号を送信するとともに、メモリ２３に記憶された所定の画像データを表示ドライバ２４に送る。
【００６３】
メモリ２３は、ソフトウェア的に操作方法等をユーザに示すための操作ガイドデータを保持している。
【００６４】
表示ドライバ２４は、制御部２１からの信号を受信し、主表示部１３及び副表示部１４に表示しようとするデータに従って、主表示部１３及び副表示部１４の各画素電極に対して駆動電圧を印加する。
【００６５】
カメラ部２７は、撮像レンズ１０と、ＣＣＤ（Ｃｈａｒｇｅ  Ｃｏｕｐｌｅｄ  Ｄｅｖｉｃｅ）イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮像素子と、ＲＧＢの３色のカラーフィルタとを備える。被写体で反射されて撮像レンズ１０に入射した光を、カラーフィルタを通してＲＧＢの３色光にし、ＲＧＢの３色光をそれぞれ撮像素子によって電気信号に変換する。
【００６６】
また、カメラ部２７では、ＲＧＢに対応した電気信号を増幅し、増幅されたＲＧＢに対応した電気信号（アナログ）をデジタル信号に変換して画像データを出力し、その画像データに対して、画素の補間処理などの信号処理を行う。そして、制御部２１から送られてくる制御信号に基づいて、信号処理を施した画像データをメモリ２３に送る。
【００６７】
アンテナ１２は、無線電波を介して基地局と無線通信を行うときに、音声データ、文字データおよび画像データなどを送受信する。無線部２５は、受信時は、基地局からアンテナ２２を介して受信したデータを復調し、送信時は、通信制御部２６から送られてくる文字データおよび画像データなどを変調して増幅し、アンテナ１２を介して基地局に送信する。通信制御部２６は、無線部２５が復調した文字データおよび画像データなどの受信データを所定の通信プロトコルに基づいて制御部２１に送る。無線部２５、通信制御部２６を介して受信した相手先からの受信データは、メモリ２３に記憶される。
【００６８】
状態検知手段３０は、上述の如く、ホール素子３０ａ〜３０ｃと、マグネット３０ｄ、３０ｅにより、第１状態から第４状態を検知する。
【００６９】
キー操作部１８は、上述の如く、第２操作ガイドキー４０となる十字キーなどから構成される。第２操作ガイドキー４０は、主表示部１３に表示される操作ガイドに対応している。
【００７０】
そして本実施形態では既述のごとく、第１筐体２の側面２ｃのヒンジ部７近傍に、第１操作ガイドキー５０を有する。第１操作ガイドキー５０は、制御部２１によって第１筐体２および第２筐体８の開閉・回転状態に応じて、主表示部１３に表示される操作ガイドに対応づけられる。
【００７１】
すなわち、本実施形態の制御部２１は、表示制御手段３５を有し、表示制御手段３５は、アプリケーションプログラムの実行に伴い、第１操作ガイドキーに操作ガイドデータを対応付け、操作ガイドデータに基づく画像および／または文字を操作ガイドとして主表示部１３に表示する。
【００７２】
ここで、操作ガイドとは、メモリ１２に保持される操作ガイドデータに基づいて、主表示部１３の表示領域の一部を使い、ソフトウェア的に操作方法等を画像および／または文字として表示したものである。ユーザの利便性のため、画像と文字を併用して表示することが望ましいが、画像のみ、または文字のみであってもよい。
【００７３】
例えばアプリケーションプログラムの実行中にユーザのキー入力を待つ場合などに、該当する処理と対応するキーとが視覚的に理解しやすいよう、主表示部１３の上方（Ｘ）または下方（Ｙ）にキーとその操作方法を簡易的に画像表示するなどし、ユーザにキー入力を促すものである。
【００７４】
本実施形態においては、操作ガイドを表示する行を例えば左右に２分割し、左側、右側の表示領域に、操作ガイドデータに基づく画像および文字を表示する。つまり、操作ガイドの左側領域は左ガイドキー５０Ｌ近傍に位置し、操作ガイドの右側領域は、右ガイドキー５０Ｒの近傍に位置する。そして例えば第１操作ガイドキーの左ガイドキー５０Ｌ、右ガイドキー５０Ｒ（または第２操作ガイドキーの左右）の入力を促す場合に、左側に「左押下」、右側に「右押下」等と表示したり、アプリケーションプログラムの実行に伴って、処理Ａおよび処理Ｂをユーザに選択させる場合、操作ガイドとして左側に処理Ａに対応する「Ａ」、右側に処理Ｂに対応する「Ｂ」等を表示するものである。
【００７５】
制御部２１は、第１操作ガイドキー５０が押下されその信号を受信すると、押下されたガイドキー近傍の操作ガイドの表示データ(操作ガイドデータ)を取得し、当該操作ガイドデータに割り当てられた処理を実行する。
【００７６】
このように、制御部２１により第１操作ガイドキー５０と操作ガイドとは対応付けされるので、ユーザは操作ガイド近傍の第１操作ガイドキー５０を操作して該当処理を実行することができる。
【００７７】
なお、操作ガイドはアプリケーションによっては中央に１つ表示される場合や左右および中央の３分割になる場合もあり、また主表示部１３の長手を横にする場合など携帯電話機１を保持する方向によっては左右ではなく上下に分割されることになる。しかし、中央が有る場合はそれに該当するキーが増え、筐体の状態と第１操作ガイドキー５０および操作ガイド（操作ガイドデータ）との対応付けについては同様に考えられるので、本実施形態では操作ガイドとして左側と右側の領域に画像データに基づく画像を表示する場合を例に説明する。
【００７８】
また、表示制御手段３５は、状態検知手段３０により検知された第１筐体２、第２筐体８の開閉および回転状態を取得し、その状態に応じて、主表示部１３に表示する操作ガイドの正像と逆像の切換、表示位置の移動、または第１操作ガイドキー５０と対応するように表示を切換える等の処理を行い、表示ドライバ２４に制御信号を送信する。
【００７９】
図８および図９を参照して、本実施形態の表示制御フローの一例を説明する。図８はフロー図であり、図９は各状態における主表示部１３および携帯電話機１の外観図の一例である。尚、副表示部１４は主表示部１３の補助的な役割を果たし、筐体の開閉の状態に応じて表示内容が変化する。また、副表示部１４の配置によってもそれらは異なるため、本フローにおいては説明を省略する。
【００８０】
また、操作ガイドＧは、キー操作部１８と主表示部１３とが同一面側から視認可能に開いた状態（第２状態）において、表示領域の左側に処理Ａを実行する「Ａ」を表示し、右側に処理Ｂを実行する「Ｂ」を表示するとする。つまり、左ガイドキー５０Ｌの近傍に「Ａ」が表示され、右ガイドキー５０Ｒの近傍に「Ｂ」が表示される。そして、制御部２１は左ガイドキー５０Ｌ押下で近傍に表示された「Ａ」に対応する処理Ａを実行し、右ガイドキー５０Ｒ押下で近傍に表示された「Ｂ」に対応する処理Ｂを実行するように対応づけるとし、以下この対応と同じ場合を正対応と定義する。
【００８１】
まず、制御部２１は、第１〜第３のホール素子の変化が有るか判断し（ステップＳ１）、変化が有る場合は、第１ホール素子の状態を判断する（ステップＳ２）。第１ホール素子がオンの場合は第１状態なので、表示制御手段３５は、主表示部１３をオフするよう表示ドライバ２４に制御信号を送信する（ステップＳ３）。そして例えば、副表示部１４に表示するデータの切換え等の処理を第１操作ガイドキー５０に対応させる場合などのために、第１操作ガイドキー５０をオンする（ステップＳ４）。（図９（Ａ））。
【００８２】
第１ホール素子がオフの場合、制御部２１は第２ホール素子の状態を判断する（ステップＳ５）。第２ホール素子がオンの場合、第４状態である。この場合実際には、第２状態、第３状態から第４状態になっている。つまり、第２および第３状態で主表示部１３に正像表示された画像と第２筐体８に対する表示向きが同じままでは携帯電話機を保持しているユーザにとって表示の天地が逆転する。そこで、表示制御手段３５により主表示部１３をオンして操作ガイドＧを含む主表示部１３の表示を逆像表示する（ステップＳ６）。主表示部１３への表示を自動的に逆像にすることにより、ユーザは携帯電話機１を持ち換えることなく両表示部の正常視認が可能となる。
【００８３】
しかし、逆像表示により操作ガイドＧは主表示部１３上方（Ｗ）に表示されるので、表示制御手段３５は操作ガイドＧを主表示部１３下方（Ｘ）に移動する（ステップＳ７）。これにより、第４状態においても操作ガイドＧは第１操作ガイドキー５０の近傍に表示されるので、操作ガイドＧを直接操作するに近い感覚で操作が可能となる。
【００８４】
そして、制御部２１は、第１操作ガイドキー５０をオンして操作ガイドＧの左右の表示と正対応させる。この場合図の如く、ステップＳ６において操作ガイドＧも逆像表示されることから、左ガイドキー５０Ｌは「Ａ」の近傍に配置され、右ガイドキー５０Ｒは「Ｂ」近傍に配置されている。つまり、制御部２１は、左ガイドキー５０Ｌが押下されたら近傍の操作ガイドＧの表示「Ａ」を取得して対応する処理Ａを実行し、右ガイドキーが押下されたら近傍の操作ガイドＧの表示「Ｂ」を取得して対応する処理Ｂを実行する（ステップＳ８）（図９（Ｂ））。
【００８５】
特に、第４状態では、電子メールの閲覧や画像の表示等、携帯電話機１を機能させているが、キー操作部１８の操作が不可能となる状態であるので、操作ガイドＧに対応して第１筐体２の左右に第１操作ガイドキー５０を設けることで、片手で操作を行う場合等においてより操作性が向上する。  
【００８６】
第１および第２ホール素子がオフの場合、制御部２１は第３ホール素子の状態を判断する（ステップＳ９）。第３ホール素子がオンの場合は第２状態であるので、表示制御手段３５は主表示部１３をオンして正像で表示し（ステップＳ１０）、操作ガイドＧを第１操作ガイドキー５０に近接する主表示部１３下方Ｘに表示する（ステップＳ１１）。また制御部２１は、第１操作ガイドキー５０をオンして操作ガイドＧの表示と正対応させる（ステップＳ１２）（図９（Ｃ））。
【００８７】
第１〜第３ホール素子がオフの場合は、第３状態であるので、表示制御手段３５は主表示部１３をオンして正像で表示する。このとき、キー操作部１８と主表示部１３は逆側の面になり、カメラのレンズ１０と主表示部１３が同一面側になる。ユーザが自身を撮影するようなカメラモード等、主表示部１３をファインダーとして使用する場合には、主表示部１３は正像で鏡面表示する（ステップＳ１３）。そして操作ガイドＧを第１操作ガイドキー５０に近接する主表示部１３下方Ｘに表示する（ステップＳ１４）。
【００８８】
ここで、主表示部１３の表示を維持したまま、第２筐体８を１８０度回転させると、図９（Ｄ）のごとく、操作ガイド「Ａ」の近傍は右ガイドキー５０Ｒとなり、操作ガイド「Ｂ」の近傍は左ガイドキー５０Ｌが配置されることになる。つまり、第３状態において操作ガイドと第１操作ガイドキー５０とを正対応させると、左ガイドキー５０Ｌで処理Ｂ、右ガイドキー５０Ｒで処理Ａを行うことになり、第２または第４状態の対応と合致しなくなる。
【００８９】
そこで、制御部２１は第３状態を検知した場合、第１操作ガイドキー５０と操作ガイドＧを表示するための操作ガイドデータとの対応を入れ換えることとし、この対応を逆対応と定義する（ステップＳ１５）。
【００９０】
この逆対応には、以下の方法がある。第１の方法は、表示制御手段３５により、操作ガイドＧの表示を左右入れ換えるものである。すなわち、操作ガイドＧの左側に「Ｂ」と表示し、右側に「Ａ」と表示する。そして制御部２１は左ガイドキー５０Ｌの押下により近傍の表示「Ａ」を取得して処理Ａを実行し、右ガイドキー５０Ｒの押下により近傍の表示「Ｂ」を取得して処理Ｂを実行するものである（図９（Ｅ））。
【００９１】
第２の方法は、操作ガイドＧの表示はそのままとし、押下された第１操作ガイドキー５０に対応する操作ガイドデータに割り当てられる処理Ａ、Ｂを入れ替える方法である。すなわち制御部２１は左ガイドキー５０Ｌが押下された信号を受けると近傍の操作ガイドの表示「Ｂ」を取得し、表示「Ｂ」の操作ガイドデータに割り当てられる処理Ｂとは異なる処理Ａを実行する。また右ガイドキー５０Ｌが押下された信号を受けると近傍の操作ガイドの表示「Ａ」を取得し、表示「Ａ」の操作ガイドデータに割り当てられる処理Ａとは異なる処理Ｂを実行するものである（図９（Ｆ））。
【００９２】
なお、本実施形態では、第１筐体２の側面２ｃに第１操作ガイドキー５０を設けた場合を例に説明した。このように、第１操作ガイドキー５０を第１筐体２に設ける構造は、キー操作部１８が第１筐体２側にあることと、ヒンジ部７が特殊な構造をしていることから、配線等の複雑化を回避できる利点がある。
【００９３】
図１０には、本発明の他の実施形態を示す。第１操作ガイドキー５０は、上記の構造に限らず、例えば第２筐体８側面と同一平面上となるヒンジ部７の側面７ｃに設けてもよく、図１０（Ａ）は、その場合の第２状態の携帯電話機１の外観図を示す。
【００９４】
このような構造にすることで、操作ガイドＧと、第１操作ガイドキー５０がさらに近接するため、より操作ガイドＧを直接操作する感覚に近づけることができる。
【００９５】
さらに、図１０（Ｂ）の如く、第２筐体８の側面に第１操作ガイドキー５０を設けてもよい。なお、第２筐体８の側面に第１操作ガイドキー５０を設けた場合は、第２筐体８の回転に伴って第１操作ガイドキー５０も回転することになるので、第３状態において第１操作ガイドキー５０と操作ガイドＧとの対応の切り換えを行う必要はない。
【００９６】
すなわち、本実施形態では表示部１３を挟んでその両側となる第１筐体２または第２筐体８の両側面、またはそれらの近傍となる側面すなわち筐体の両側面にそれぞれ連続する側面に設けられればよい。しかし、何れに設ける場合でもヒンジ部７付近が好ましい。これにより、第１状態から第４状態の何れの場合でも、携帯電話機１を持ち替えることなく第１操作ガイドキーを操作することができる。
【００９７】
以上、第１操作ガイドキー５０と操作ガイドＧとの対応について説明したが、第１筐体２、第２筐体８の状態に応じて、第２操作ガイドキー４０と操作ガイドＧ（操作ガイドデータ）とを対応させてもよい。
【００９８】
すなわち、上記の例で説明すると、キー操作部１８と主表示部１３とが同一面側にあるように開いた状態（第２状態）では、キー操作部１８の操作が可能なため、操作ガイド「Ａ」を表示するデータと第２操作ガイドキー４０の左を対応させ、操作ガイド「Ｂ」を表示するデータと第２操作ガイドキー４０の右を対応させる。
【００９９】
このような構成とすることで、第２状態において第１操作ガイドキー５０を、他の処理に割り当てることができ、携帯電話機１の多機能化に伴い不足しがちなキーを有効的に利用できる。
【０１００】
また、第２状態においては、操作ガイドＧ（操作ガイドデータ）に第２操作ガイドキー４０および第１操作ガイドキー５０を対応させてもよい。このような構成にすることで、ユーザは何れの操作ガイドキーでも操作できるので、操作の汎用性が高まる。さらに、この場合において、所定のキー押下により第１操作ガイドキー５０と操作ガイドＧとの対応を解除するようにしてもよい。このような構成にすることで、ユーザ自身で使用する操作ガイドキーを選択できる。そして、第１操作ガイドキー５０と、操作ガイドＧ（操作ガイドデータ）との対応が解除された場合には、第１操作ガイドキー５０に他の処理を対応づけるようにすることで、少ないキーを有効活用することができる。
【０１０１】
以上、本実施の形態は、第１筐体２に対して第２筐体８が回転および折畳み可能なものに限らず、例えば第１筐体２と第２筐体８を折畳みのみ可能な場合、第１筐体２に対して第２筐体８を回転のみ可能な場合についても適用できる。
【０１０２】
また、第２筐体８を水平方向に回転することにより主表示部１３が露出するように折畳み可能な電子機器についても適用できる。
【０１０３】
更に本実施の形態では、クラムシェルタイプの携帯電話機について説明を行なったが、本発明による電子機器はこれに限定されない。たとえば、携帯情報端末（ＰＤＡ：ｐｅｒｓｏｎａｌ  ｄｉｇｉｔａｌ  ａｓｓｉｓｔａｎｔｓ）や、電子ブック等であってもよい。
【図面の簡単な説明】
【０１０４】
【図１】この発明の実施の形態における携帯電話機の開いた状態を示す斜視図である。
【図２】図１中の携帯電話機の閉じた状態を示す斜視図である。
【図３】図２中の矢印ＩＩＩから見た携帯電話機を示す斜視図である。
【図４】図１中の主表示部が設けられた筐体を回転させた場合の携帯電話機を示す斜視図である。
【図５】図１中の主表示部が設けられた筐体を回転させた場合の携帯電話機を示す別の斜視図である。
【図６】図１中の主表示部が設けられた筐体を回転・折畳んだ場合の携帯電話機を示すさらに別の斜視図である。
【図７】本発明の実施の形態における携帯電話機の構成を示すブロック図である。
【図８】本発明の実施の形態における携帯電話機の第１操作ガイドキー設定処理フロー図である。
【図９】図８の各状態における携帯電話機の外観図である。
【図１０】本実施形態の他の構造を示す概要図である。
【図１１】従来技術を示す概要図である。
【図１２】従来技術を示す概要図である。
【符号の説明】
【０１０５】
１、１００、２００  携帯電話機
２、８、１０１、１０５  筐体
３  筐体
３ａ、３ｂ、７ａ、７ｂ、８ａ、８ｂ  表面
４  突出部
５  回動軸
７  ヒンジ部
９  回転軸
１０  レンズ
１２  アンテナ  
１３  主表示部
１４  副表示部
１５  フラッシュ
１７、２２  スピーカ  
１８  キー操作部
１８ａ  機能キー群
１８ｂ  入力キー群
２０    マイク
２１  制御部
２４  表示ドライバ
２７  カメラ部
３０  状態検知手段
３０ａ  第１ホール素子
３０ｂ  第２ホール素子
３０ｃ  第３ホール素子
３０ｄ  第１マグネット
３０ｅ  第２マグネット
３５    表示制御手段
４０    第２操作ガイドキー
５０    第１操作ガイドキー
５０Ｌ  左ガイドキー
５０Ｒ  右ガイドキー
Ｇ      操作ガイド
【図１】
2005229438.tif 000003
【図２】
2005229438.tif 000004
【図３】
2005229438.tif 000005
【図４】
2005229438.tif 000006
【図５】
2005229438.tif 000007
【図６】
2005229438.tif 000008
【図７】
2005229438.tif 000009
【図８】
2005229438.tif 000010
【図９】
2005229438.tif 000011
【図１０】
2005229438.tif 000012
【図１１】
2005229438.tif 000013
【図１２】
2005229438.tif 000014